(57)【要約】【課題】主走査方向に２本以上配列する構造のライン状電荷結合素子において、画像読取領域の位置ずれを確実に抑え、高品質の画像を読み取れるようにする。【解決手段】ＣＣＤからなるイメージセンサ３０ａ，３０ｂを主走査方向に複数個配列すると共に、配列方向に隣接する各イメージセンサ３０ａ，３０ｂの端部３０ａ’，３０ｂ’を読取領域で重合させた構造において、隣接する一対のイメージセンサ３０ａ，３０ｂのコンタクトガラス１８上の走査ライン３１ａ，３１ｂにおける重合部分Ｙに含まれる領域に画像（光スポット）を形成して基準マーカーＭとする。この基準マーカーＭを基準として、イメージセンサ３０ａ，３０ｂの重合部分Ｙを主／副走査方向に一致させる。前記基準マーカーＭは、コンタクトガラス１８にマーカー生成用光源であるＬＥＤ３２からの照射光により円形に形成する。【選択図】図２
2009171003.tif 000002
【特許請求の範囲】
【請求項１】
主走査方向に配列された複数個のライン状電荷結合素子を、その一部を重複させて設置し、読取対象照射用光源から出射した光により照射された読取対象の画像を前記ライン状電荷結合素子に結像し、該ライン状電荷結合素子により読み取った前記重複部分の画像データを連結することにより全画像データを読み取る画像読取装置において、
マーカー生成用光源からの出射光を前記読取対象における前記重複部分に照射し、該照射光を前記各ライン状電荷結合素子に基準マーカーとして結像し、該結像部分を一致させることにより前記主走査方向の画像データを連結することを特徴とする画像読取装置。
【請求項２】
前記マーカー生成用光源を、前記読取対象の画像を前記ライン状電荷結合素子に結像するための光学系の光路外に設置したことを特徴とする請求項１記載の画像読取装置。
【請求項３】
前記マーカー生成用光源は、指向特性が挟角でかつ照射面積が少なく、さらに出射光の前記読取対象における照射面が円形状のものであることを特徴とする請求項１または２記載の画像読取装置。
【請求項４】
前記マーカー生成用光源としてＬＥＤを用いたことを特徴とする請求項１〜３いずれか１項記載の画像読取装置。
【請求項５】
前記各ライン状電荷結合素子に結像して得られた前記基準マーカー部分の画像データ出力がある位置を、該ライン状電荷結合素子の画素単位で結合させることにより主走査位置を合致させることを特徴とする請求項１記載の画像読取装置。
【請求項６】
前記各ライン状電荷結合素子に結像して得られた前記基準マーカー部分の画像データ出力が最大となる位置を、該ライン状電荷結合素子の画素単位で結合させることにより副走査位置を合致させることを特徴とする請求項１または５記載の画像読取装置。
【請求項７】
前記ライン状電荷結合素子を、フォトダイオードからなる複数ラインで構成し、前記マーカー生成用光源を円形状に結像させて、前記複数ラインのフォトダイオードの一番目と最後の出力波形の画像データが一致する位置に調整することにより、複数個のライン状電荷結合素子の各主走査方向を合致させることを特徴とする請求項１〜６いずれか１項記載の画像読取装置。
【請求項８】
前記ライン状電荷結合素子を、フォトダイオードからなる複数ラインで構成し、前記マーカー生成用光源を円形状に結像させて、前記複数ラインのフォトダイオードの一番目と最後の出力波形の画像データが一致する位置に調整することにより、複数個のライン状電荷結合素子の副走査方向を合致させることを特徴とする請求項１〜６いずれか１項記載の画像読取装置。
【請求項９】
読取対象に対する画像読取動作時は、前記読取対象照射用光源を点灯させ、かつ前記マーカー生成用光源を消灯することを特徴とする請求項１〜８いずれか１項記載の画像読取装置。
【請求項１０】
画像読取部と、該画像読取部にて読み取られた画像データに基づき記録媒体に対して画像形成を行う画像形成部とを備えた画像形成装置において、
前記画像読取部に請求項１〜９いずれか１項記載の画像読取装置を搭載したことを特徴とする画像形成装置。
【発明の詳細な説明】
【技術分野】
【０００１】
本発明は、主走査方向に配列された複数個のライン状電荷結合素子を、その一部を重複させて設置し、該ライン状電荷結合素子により読み取った重複部分の画像データを連結することにより全画像データを読み取る構成の画像読取装置、および該画像読取装置を搭載する画像形成装置に関するものである。
【背景技術】
【０００２】
従来、原稿サイズＡ０判，Ａ１判などの広幅（大判）の画像に対する読み取りの場合、例えば、Ａ０判（短手）では画像幅８４１ｍｍであり、６００ｄｐｉで読み取りを行うためには、約２０５００画素が必要となる。現在、一般的には約１００００画素のライン状電荷結合素子（通常、ＣＣＤあるいはＣＭＯＳ）がある。しかし、ライン状電荷結合素子はＡ３判までの大きさまで普及しているが、これ以上の大きさのライン状電荷結合素子は製造上の面から不可能とされている。
【０００３】
このように、広幅（大判）の原稿を読み取るには、一般的に、Ａ３判の読み取りまで対応できるライン状電荷結合素子（７５００画素）を、２本以上配置して読み取りを行っている。例えば、図１２に示すように、Ａ３判の２本のライン状電荷結合素子１ａ，１ｂを主走査方向（原稿の給紙方向と直交し原稿の幅方向に一致する向き）に一列に並べ、各々のライン状電荷結合素子１ａ，１ｂの一部を重複させて画像を読み取り、走査の合成によって結合させている。
【０００４】
ところで複数のライン状電荷結合素子を配列する構成において、各ライン状電荷結合素子間の境目部分で画像上に繋ぎ目が生じる。この繋ぎ目は画像において、ずれ，スジなどになって現れる。
【０００５】
主走査方向の位置ずれは読取横方向の画像のずれとなり、二重画像，画像欠落を生じる。また、副走査方向の位置ずれは読取縦方向で左右の画像ずれとして現れる。このような画像ずれなどの不具合をなくすためには、ライン状電荷結合素子の位置ずれを検知して補正することが必要である。
【０００６】
前記検知を行うためには、圧板または原稿を搬送させるプラテンローラに、チャートなどにマーカーとなる基準を刻んでおき、光を照射して該基準に基づいてライン状電荷結合素子の位置ずれを検知し、図１３に示すように、ライン状電荷結合素子からの出力データの基準マーカーに相当する出力位置（画素）で合致させるように調整するというものがある。
【０００７】
特許文献１には、図１４に示すような各ライン状電荷結合素子１ａ，１ｂの読取領域の結合部分に基準マーカー２を配置し、この基準マーカー２を一部重複させて読み取り、調整／補正する構成が記載されている。
【０００８】
また、特許文献２には、基準チャートを用い、該基準チャートの端面を利用し、基準マーカーと端面の差でライン状電荷結合素子のバラツキなどの感度特性を補正する構成が記載されている。
【０００９】
このようなライン状電荷結合素子の配列構成により、広幅（大判）原稿に対する画像読取りの対応が可能となった。
【００１０】
また、特許文献３，４には、光学的基準を構築して基準マーカーとする技術が記載されている。
【特許文献１】特開昭５８−５４７７６号公報
【特許文献２】特許第３７１９０２０号公報
【特許文献３】特開２０００−３５８１４０号公報
【特許文献４】特開２００６−２５２８９号公報
【発明の開示】
【発明が解決しようとする課題】
【００１１】
上記のように、従来の技術において、基準マーカーあるいは基準チャートなどを備え、それらを読み取る方式がある。しかし、基準マーカーを、読取位置以外のところに配置して読み取りを行う場合、原稿を搬送しながら読み取るシートスルータイプの原稿読取装置では、基準マーカーの配置がないため工夫が必要である。また、基準チャートを用いる方式では、検知して調整するには基準チャートの管理が必要である。
【００１２】
また、特許文献３，４のいずれも、コンタクトガラス下面（読取レンズ近傍）に、ＬＥＤを配置し、そのＬＥＤの照射光を専用レンズを用いて集光させて、点光源としてコンタクトガラス上に結像させている。
【００１３】
しかし、ＬＥＤの照射光を光の点として結像させているため、基準マーカーの出力はＬＥＤ発光点の形状に対応するため、図１５に示すように、ライン状電荷結合素子の出力データが三角形状の頂点（ピーク値）となる。このためライン状電荷結合素子が大きくずれている場合、基準マークを検知して調整することが困難である。また、粗調整レベルの大まかな調整が必要な調整初期の段階では、ピンポイントの点を検知を行うため、調整時間に時間が掛かるという課題がある。
【００１４】
本発明は、ライン状電荷結合素子を主走査方向に２本以上配列する画像読取構造において、ライン状電荷結合素子による画像読取領域の位置ずれを確実に抑え、高品質の画像を読み取れるようにするため、例えばシートスルータイプの原稿読取構造でも、基準のマーカーを簡易に検出でき、従来のように基準チャートなどの管理を不用にすることができるようにした画像読取装置および画像形成装置を提供することを目的とする。
【課題を解決するための手段】
【００１５】
前記目的を達成するため、請求項１に記載の発明は、主走査方向に配列された複数個のライン状電荷結合素子を、その一部を重複させて設置し、読取対象照射用光源から出射した光により照射された読取対象の画像を前記ライン状電荷結合素子に結像し、該ライン状電荷結合素子により読み取った前記重複部分の画像データを連結することにより全画像データを読み取る画像読取装置において、マーカー生成用光源からの出射光を前記読取対象における前記重複部分に照射し、該照射光を前記各ライン状電荷結合素子に基準マーカーとして結像し、該結像部分を一致させることにより前記主走査方向の画像データを連結することを特徴とし、この構成によって、マーカー生成用光源の照射光を各ライン状電荷結合素子に基準マーカーとして結像することにより、従来のような印刷などの固定された基準マークが不要となり、また、基準マーカーの光学的なオン／オフが容易であって、確実かつ容易に読取画像上に基準マーカーが現れないようにすることができる。このため、基準マーカーに基づきライン状電荷結合素子による画像読取領域の位置ずれを確実に抑え、高品質の画像を読み取ることができる。
【００１６】
請求項２に記載の発明は、請求項１記載の画像読取装置において、マーカー生成用光源を、読取対象の画像をライン状電荷結合素子に結像するための光学系の光路外に設置したことを特徴とし、この構成によって、基準マーカーのための光路が画像読取のための光路に影響しないようにすることができる。
【００１７】
請求項３に記載の発明は、請求項１または２記載の画像読取装置において、マーカー生成用光源は、指向特性が挟角でかつ照射面積が少なく、さらに出射光の前記読取対象における照射面が円形状のものであることを特徴とし、この構成によって、複数個のライン状電荷結合素子における出力データによる調整が容易となる。
【００１８】
請求項４に記載の発明は、請求項１〜３いずれか１項記載の画像読取装置において、マーカー生成用光源としてＬＥＤを用いたことを特徴とする。
【００１９】
請求項５に記載の発明は、請求項１記載の画像読取装置において、各ライン状電荷結合素子に結像して得られた基準マーカー部分の画像データ出力がある位置を、該ライン状電荷結合素子の画素単位で結合させることにより主走査位置を合致させることを特徴とし、この構成によって、主走査方向のずれと縮率の調整が容易となる。
【００２０】
請求項６に記載の発明は、請求項１または５記載の画像読取装置において、各ライン状電荷結合素子に結像して得られた基準マーカー部分の画像データ出力が最大となる位置を、該ライン状電荷結合素子の画素単位で結合させることにより副走査位置を合致させることを特徴とし、この構成によって、副査方向のずれと縮率の調整が容易となる。
【００２１】
請求項７に記載の発明は、請求項１〜６いずれか１項記載の画像読取装置において、ライン状電荷結合素子を、フォトダイオードからなる複数ラインで構成し、マーカー生成用光源を円形状に結像させて、複数ラインのフォトダイオードの一番目と最後の出力波形の画像データが一致する位置に調整することにより、複数個のライン状電荷結合素子の各主走査方向を合致させることを特徴とし、この構成によって、主走査方向のずれと縮率の調整が容易かつ確実となる。
【００２２】
請求項８に記載の発明は、請求項１〜６いずれか１項記載の画像読取装置において、ライン状電荷結合素子を、フォトダイオードからなる複数ラインで構成し、マーカー生成用光源を円形状に結像させて、複数ラインのフォトダイオードの一番目と最後の出力波形の画像データが一致する位置に調整することにより、複数個のライン状電荷結合素子の副走査方向を合致させることを特徴とし、この構成によって、副走査方向のずれと縮率の調整が容易かつ確実となる。
【００２３】
請求項９に記載の発明は、請求項１〜８いずれか１項記載の画像読取装置において、読取対象に対する画像読取動作時は、読取対象照射用光源を点灯させ、かつマーカー生成用光源を消灯することを特徴とし、この構成によって、読取画像上に基準マーカーが現れないようにすることができる。
【００２４】
請求項１０に記載の発明は、画像読取部と、該画像読取部にて読み取られた画像データに基づき記録媒体に対して画像形成を行う画像形成部とを備えた画像形成装置において、前記画像読取部に請求項１〜９いずれか１項記載の画像読取装置を搭載したことを特徴とし、この構成によって、ライン状電荷結合素子を主走査方向に２本以上配列する画像読取構造を採用しても、高品質の画像形成が実現する。
【発明の効果】
【００２５】
本発明によれば、ライン状電荷結合素子を主走査方向に２本以上配列する画像読取構造において、マーカー生成用光源の照射光を各ライン状電荷結合素子に基準マーカーとして結像することにより、従来のような印刷などの固定された基準マークが不要となり、また、基準マーカーの光学的なオン／オフが容易であって、確実かつ容易に読取画像上に基準マーカーが現れないようにすることができる。このため、基準マーカーを用いてライン状電荷結合素子による画像読取領域の位置ずれを確実に抑え、高品質の画像を読み取ることができる。
【００２６】
よって、高品質の画像読み取りが行えるため、例えば、シートスルータイプの原稿読取構造でも、基準のマーカーを簡易に検出することができ、従来のように基準チャートなどの管理を不用にすることができる。
【発明を実施するための最良の形態】
【００２７】
以下、本発明の実施の形態を図面に基づいて説明する。
【００２８】
図１は本発明に係る画像形成装置の実施形態の概略構成図である。
【００２９】
図１に示す画像形成装置１１において、１２は装置本体、１３は画像読取装置であるスキャナ装置、１４は給紙ユニット、１５は書込ユニットであって、装置本体１２内部に、スキャナ装置１３と給紙ユニット１４と書込ユニット１５が収容されている。
【００３０】
スキャナ装置１３では、一対の搬送ローラ対１６，１７にて原稿を一枚ずつコンタクトガラス１８上に送り出し、スキャナ装置１３により後述するように読み取りが行われた原稿をコンタクトガラス１８から装置本体１２外に排出する。
【００３１】
給紙ユニット１４は、装置本体１２の下部に設けられた複数の転写紙収容部１９と、転写紙給紙搬送部２０とを備え、各転写紙収容部１９は転写紙２１を複数枚収容する。転写紙給紙搬送部２０は、転写紙収容部１９内の転写紙２１を、一枚ずつレジストローラ２５へ搬送する。
【００３２】
書込ユニット１５は、レーザ出力ユニット２２と、結像レンズ２３と、ミラー２４と、レジストローラ２５と、感光体ドラム２６と、現像装置２７と、転写部材２８と、定着装置２９などを備えている。
【００３３】
レーザ出力ユニット２２の内部には、図示しないがレーザ光源であるレーザダイオードおよびモータによって高速で定速回転するポリゴンミラーが設けられている。レーザ出力ユニット２２から照射されるレーザ光は、ポリゴンミラーによって偏向され、結像レンズ２３を通ってミラー２４で偏向されて、感光体ドラム２６の外周面上に集光されて結像する。感光体ドラム２６は回転する方向と直交する主走査方向に、レーザ光により露光走査されて、主走査方向に配列された複数個のライン状電荷結合素子（イメージセンサ）３０から入力する画像データを処理する図示しない画像信号処理部から出力された画像信号のライン単位の記録を行う。そして、書込ユニット１５は、感光体ドラム２６の回転速度と記録密度に対応した所定の周期で主走査を繰り返すことによって、感光体ドラム２６の表面上に静電潜像を形成する。
【００３４】
一方、レジストローラ２５では、転写紙給紙搬送部２０により転写紙収容部１９から給紙され搬送されてきた転写紙２１を、転写部材２８と感光体ドラム２６との間に送り出す。このとき感光体ドラム２６は、現像装置２７により静電潜像にトナーが付着して顕像化されており、このトナー像が転写部材２８において転写紙２１に転写する。転写後、転写部材２８は、転写紙２１を定着装置２９へ搬送し、定着装置２９において、転写紙２１を加熱加圧し、トナー像を定着させ、転写紙２１を装置本体１２外の排紙部に排出する。
【００３５】
図２は本発明に係る画像形成装置であるスキャナ装置の実施形態１のイメージセンサ全体の概略構成を示す斜視図、図３は実施形態１におけるＬＥＤ光学系の構成図である。
【００３６】
図２において、ＣＣＤからなるイメージセンサ３０ａ，３０ｂを主走査方向に複数個（本例では２個）配列するとともに、配列方向に隣接する各イメージセンサ３０ａ，３０ｂの端部３０ａ’，３０ｂ’が読取領域で重合し、両イメージセンサ３０ａ，３０ｂの組合せにより、広幅原稿の全体の画像を読取りに際して、各イメージセンサ３０ａ，３０ｂの画像読取位置を調整する。
【００３７】
そして、隣接する一対のイメージセンサ３０ａ，３０ｂのコンタクトガラス１８上の走査ライン３１ａ，３１ｂにおける重合部分Ｙに含まれる領域に画像（光スポット）を形成して後述する基準マーカーＭとし、この基準マーカーＭを一対のイメージセンサ３０ａ，３０ｂによって、それぞれ基準マーカーＭを読み取ったとき一対のイメージセンサ３０ａ，３０ｂごとの出力値に基づいて、基準マーカーＭに対する一対のイメージセンサ３０ａ，３０ｂごとの相対位置を検知し、この検知結果に基づいて、一対のイメージセンサ３０ａ，３０ｂの重合部分Ｙを主／副走査方向に一致させるようにしている。
【００３８】
図２に示すように、基準マーカーＭは、コンタクトガラス１８にマーカー生成用光源であるＬＥＤ３２からの照射光により円状の照射面（光スポット）を形成してなるものである。図３に示すように、ＬＥＤ３２は、読取対象照射用光源である公知の読取用光源３３とは異なる光源である。なお、図３における３５，３６，３７はＬＥＤ３２の基準マーカーＭの反射光を偏向させるミラー、３８は基準マーカーＭをライン状電荷結合素子３０に結像させるレンズを示す。
【００３９】
図４に示すように、イメージセンサ３０ａ，３０ｂから出力された出力データは、ピーク値がなだらかの位置ずれ検知を行うときは、読取用光源３３を消灯し、ＬＥＤ３２を点灯している、このことにより、ＬＥＤ３２で照射された部分のみ明るくなり、イメージセンサ３０ａ，３０ｂの出力データ（画像データ）はＬＥＤ３２が点灯している部分のみとなる。この出力のピーク値Ｄを合致させることにより、イメージセンサ３０ａ，３０ｂの重合部分Ｙを主走査方向に一致させることができる。また、通常の読取時は、ＬＥＤ３２を消灯して画像上には、基準マーカーＭが現れないようにしている。これにより、ＯＮ−ＯＦＦ（点灯−消灯）することができる基準マーカーＭが形成される。
【００４０】
従来の技術（特許文献３，４）では、図１５に示すように、ライン状電荷結合素子の出力データが三角形状の頂点（ピーク値）となるが、本実施形態では、図５に示すように、ＬＥＤ３２の照射角度（指向特性，指向角度）が狭く（例えば、図５に示す例では２０°前後）のため、光の指向性が強く、レーザ光のような強く真っ直ぐな光が、距離が離れても光照射範囲が広がらない（図６に示すＬＥＤの発光特性における（ａ），（ｂ）図参照）。よって、ＬＥＤ３２からの光を集光しなくても、必要とする原稿面での照射範囲が得られる。
【００４１】
図７に示すように、イメージセンサ３０ａ，３０ｂの出力データのピーク値Ｄは、ピーク部分がなだらかな山型となり、任意のピーク範囲（例えば、図７におけるピーク山部の幅Ｃ−１，Ｃ−２の２分の１）を基準マーカーＭの基準点とすればよく、特別、狭い原稿面の照射範囲とする必要はない。このことにより、容易に調整が可能となり調整時間の短縮になる。またＬＥＤ３２からの照射光の集光するレンズなどは不用となる。
【００４２】
図８は本発明に係る画像形成装置であるスキャナ装置の実施形態２のイメージセンサ全体の概略構成を示す斜視図、図９は実施形態２における光学系の構成図、図１０は実施形態２のイメージセンサ出力調整についての説明図である。
【００４３】
図８〜図１０を参照して、実施形態２の複数ラインのセンサー部を持ったイメージセンサ３０ａ，３０ｂの主走査方向における位置補正について説明する。
【００４４】
図８に示すように、複数ラインのセンサー部を持ったイメージセンサ３０ａ，３０ｂで原稿画像を結像させる。本例ではカラー用（Ｒ，Ｇ，Ｂ）として３ラインのセンサー（フォトダイオード）を備え、各センサーに色フィルタを配置して色分解をさせることにより読み取りを行うものである。この他にも、カラー用とモノクロ用として、センサー部分をさらに増加してなる４ライン用も存在する。図９に示すように、３ラインＡ，Ｂ，Ｃのイメージセンサ３０ａ，３０ｂに結像させる。
【００４５】
なお、図９中のＸはＬＥＤ３２からの照射範囲である。３ラインのイメージセンサ構成は、１画素が０．０１ｍｍ（１０μｍ）であり、１ラインとして７５００画素を並べて、他のラインとの間に１ラインから８ライン分の間隔がある構成のものである。
【００４６】
一般的なライン間隔としては、現在、４ライン間隔のものが多い。この４ライン間隔で計算すると、０．０１×｛（４＋２）＋３｝＝０．１１ｍｍとなる。光学系の縮率を０．２３６６として、照射面の範囲を計算すると約０．５ｍｍとなる。この範囲は、原稿面では前記Ｘであり、イメージセンサ３０ａ，３０ｂの結像面では、センサー部分（フォトダイオード）となる。
【００４７】
３ラインＡ，Ｂ，Ｃのイメージセンサ３０ａ，３０ｂのセンサー（フォトダイオード）部分を含めてＬＥＤ３２の照射範囲とすると、図１０に示すようになる。図１０では、丸印で囲んだ範囲が、ＬＥＤ３２からの照射光を結像した範囲となる。図示するように、真中のラインＢのセンサー出力データは丸印の範囲が最大（または広い）となる（図において出力ＥまたはＦで示す）。
【００４８】
前記出力ＦとＥが等しいことは、イメージセンサ３０ａ，３０ｂを主走査方向に複数個配列が合致したことになる。このようにして、前記ピーク値を合致させる方法より、確認事項（画素数を合わせること）が分かり易いため調整が容易となる。また、この方法で調整することにより、ラインＡ，Ｂのセンサー出力データを合せることにより、主走査方向の縮率も調整可能となる。
【００４９】
図１１は本発明に係る画像形成装置であるスキャナ装置の実施形態３のイメージセンサ出力調整についての説明図である。
【００５０】
図１１を参照して複数ラインのセンサー（フォトダイオード）部を持ったイメージセンサ３０ａ，３０ｂの副走査方向の位置補正について説明する。
【００５１】
図１１に示すように、両端のラインＡ，Ｂのセンサー出力データを比較し、同じであれば丸印の範囲（ＬＥＤからの照射光を結像した範囲）が３ラインのイメージセンサ３０ａ，３０ｂの中心に結像されている。しかし、図示したように、ラインＡ，Ｂのセンサー出力データが異なる場合は、丸い範囲（ＬＥＤからの照射光を結像した範囲）が、３ラインのイメージセンサ３０ａ，３０ｂの中心からずれていることになる。このラインＡ，Ｂのセンサー出力データを合せるように調整することにより、副走査方向においてイメージセンサ３０ａ，３０ｂの複数個配列が合致する。
【００５２】
このようにして、前記ピーク値を合致する方法では副走査方向の調整が可能となる。また、この方法で調整することにより、ラインＡ，Ｂのセンサー出力データを合せることにより副走査方向の縮率も調整可能となる。
【００５３】
なお、図２に示す画像読取装置のレンズなどの光学素子３４ａ，３４ｂにおける特性である画角と、イメージセンサ３０ａ，３０ｂの一部を重複させる画像数は演算により算出することができる。例として、光学素子３４ａ，３４ｂの物体側距離を約４７０ｍｍとし、画角を２０°とすると、図２に示すように、コンタクトガラス１８の下方にＬＥＤ３２を配置することにより、３ラインのイメージセンサ３０ａ，３０ｂのセンサー部分に、ＬＥＤ３２からの照射光を結像することができ、かつ約１ｍｍ（１００画素）のイメージセンサ３０ａ，３０ｂを重複させることができる。主走査方向から見ると光軸上にＬＥＤ３２を配置することができる。
【産業上の利用可能性】
【００５４】
本発明は、複数のライン状電荷結合素子の画像データーを連結させた画像読取部を具備するデジタル複写機（モノクロ，フルカラー，ＭＦＰ含む）、あるいは汎用スキャナー（高画質タイプ）などの高画質が要求される広幅（大判）サイズの画像読取装置に適用される。
【図面の簡単な説明】
【００５５】
【図１】本発明に係る画像形成装置の実施形態の概略構成図
【図２】本発明に係る画像形成装置であるスキャナ装置の実施形態１のイメージセンサ全体の概略構成を示す斜視図
【図３】実施形態１における光学系の構成図
【図４】実施形態１のイメージセンサ出力調整についての説明図
【図５】ＬＥＤの照射角度（指向特性，指向角度）の特性図
【図６】（ａ）〜（ｃ）はＬＥＤの発光特性を示す図
【図７】実施形態１のイメージセンサ出力調整についての説明図
【図８】本発明に係る画像形成装置であるスキャナ装置の実施形態２のイメージセンサ全体の概略構成を示す斜視図
【図９】実施形態２における光学系の構成図
【図１０】実施形態２のイメージセンサ出力調整についての説明図
【図１１】本発明に係る画像形成装置であるスキャナ装置の実施形態３のイメージセンサ出力調整についての説明図
【図１２】従来のスキャナ装置におけるイメージセンサ全体の概略構成を示す斜視図
【図１３】従来のイメージセンサ出力調整についての説明図
【図１４】従来のスキャナ装置におけるイメージセンサ全体の概略構成を示す斜視図
【図１５】従来のイメージセンサ出力調整についての説明図
【符号の説明】
【００５６】
１１  画像形成装置
１２  装置本体
１３  スキャナ装置
１４  給紙ユニット
１５  書込ユニット
１８  コンタクトガラス
３０ａ，３０ｂ  イメージセンサ
３１ａ，３１ｂ  走査ライン
３２  ＬＥＤ
３３  読取用光源
Ｙ  重合部分
Ｍ  基準マーカー
【図１】
2009171003.tif 000003
【図２】
2009171003.tif 000004
【図３】
2009171003.tif 000005
【図４】
2009171003.tif 000006
【図５】
2009171003.tif 000007
【図６】
2009171003.tif 000008
【図７】
2009171003.tif 000009
【図８】
2009171003.tif 000010
【図９】
2009171003.tif 000011
【図１０】
2009171003.tif 000012
【図１１】
2009171003.tif 000013
【図１２】
2009171003.tif 000014
【図１３】
2009171003.tif 000015
【図１４】
2009171003.tif 000016
【図１５】
2009171003.tif 000017